(57)【要約】【課題】簡単な制御及び構造によって裏写り現象の発生を抑制することの可能な画像読取装置を提供する。【解決手段】原稿に対して照明光を照射する光源及び照明光の反射光を受光する受光素子を有するイメージセンサユニットと、イメージセンサユニットに対して原稿の反対側に設けられた白色基準体とを備える画像読取装置であって、原稿の搬送方向に対する白色基準体の位置若しくは角度を調整するためのアクチュエータと、シェーディング補正時には、前記照明光が前記白色基準体に反射されることで発生する反射光が受光素子に受光されるように、また、画像読取時には、当該反射光が受光素子に受光されないように白色基準体の位置若しくは角度を設定し、当該設定した位置若しくは角度に調整するように前記アクチュエータを制御する制御手段とを具備する。【選択図】図１
2009177310.tif 000002
【特許請求の範囲】
【請求項１】
所定の画像読取位置に搬送される原稿に対して照明光を照射する光源及び前記照明光の反射光を受光する受光素子を有するイメージセンサユニットと、当該イメージセンサユニットに対して前記原稿の反対側に設けられたシェーディング補正用の白色基準体とを備える画像読取装置であって、  
前記原稿の搬送方向に対する前記白色基準体の位置若しくは角度を調整するためのアクチュエータと、
シェーディング補正時には、前記照明光が前記白色基準体に反射されることで発生する反射光が前記受光素子に受光されるように、また、画像読取時には、当該反射光が前記受光素子に受光されないように前記白色基準体の位置若しくは角度を設定し、当該設定した位置若しくは角度に調整するように前記アクチュエータを制御する制御手段と、
を具備することを特徴する画像読取装置。
【請求項２】
前記白色基準体が原稿搬送の役割を兼ねている円筒形状のローラである場合、
前記制御手段は、前記ローラの位置を調整するように前記アクチュエータを制御することを特徴とする請求項１記載の画像読取装置。
【請求項３】
前記白色基準体が板状の白色基準板である場合、
前記制御手段は、前記白色基準板の角度を調整するように前記アクチュエータを制御することを特徴とする請求項１記載の画像読取装置。
【請求項４】
前記受光素子は、ＣＩＳ(Contact Image Sensor)素子であることを特徴とする請求項１〜３のいずれか一項に記載の画像読取装置。
【請求項５】
前記受光素子は、ＣＣＤ(Charge Coupled Devices)素子であることを特徴とする請求項１〜３のいずれか一項に記載の画像読取装置。
【請求項６】
請求項１〜５のいずれか一項に記載の画像読取装置を備え、
当該画像読取装置によって読み取った原稿の画像データに基づいて用紙に画像を形成することを特徴とする画像形成装置。
【発明の詳細な説明】
【技術分野】
【０００１】
本発明は、原稿に印刷された画像を読み取る画像読取装置及び当該画像読取装置を備える画像形成装置に関する。
【背景技術】
【０００２】
例えば、下記特許文献１には、原稿に印刷された画像を読み取る画像読取装置において、両面印刷された原稿を読み取る場合に発生する「裏写り」（裏面画像が表面画像に写り込む現象）を防止する技術が開示されている。この特許文献１の技術は、光源、ミラー、レンズ及びＣＣＤ(Charge Coupled Devices)素子からなる画像読取部に対して、原稿を挟んで対向するように配置された透明プラテンローラの内側の円周方向に、白色と黒色の２エリアに区分された円筒形状背景板を設け、片面印刷された原稿を読み取る場合は白色部分が画像読取部側に向くように透明プラテンローラを回転させる一方、両面印刷された原稿を読み取る場合は黒色部分が画像読取部側に向くように透明プラテンローラを回転させることにより、片面印刷原稿はコントラスト良く、両面印刷原稿は裏写り無く読み取るものである。
【特許文献１】特開２００４−３２０３３１号公報
【発明の開示】
【発明が解決しようとする課題】
【０００３】
ところで、画像読取装置で用いられる画像読取方式として、上記特許文献１に記載されているように、光源から原稿に照射された光の反射光をミラー及びレンズから構成される光学系を介してＣＣＤ素子に入射するＣＣＤ方式と、ＬＥＤ光源からＲＧＢ（赤、緑、青）の３色光を原稿に照射して得られる反射光をＣＩＳ(Contact Image Sensor)素子に入射するＣＩＳ方式とが一般的に知られている。
【０００４】
従来のＣＩＳ方式を採用した画像読取装置では、図５に示すように、ＣＩＳユニット１００（ＬＥＤ光源１００ａとＣＩＳ素子１００ｂから構成されるイメージセンサユニット）と、シェーディング補正用の白色基準体としての役割を兼ねる原稿搬送ローラ２００とを対向配置し、これらＣＩＳユニット１００と原稿搬送ローラ２００との間に、給紙トレイにセットされた原稿Ｐを自動搬送することにより、原稿Ｐに印刷された画像を読み取るタイプのものがある。
【０００５】
このようなタイプの画像読取装置では、両面印刷された原稿Ｐの表面画像を読み取る場合、図５に示すように、原稿Ｐを透過したＬＥＤ光源１００ａの照明光が原稿搬送ローラ２００によって反射されてＣＩＳ素子１００ｂに入射されてしまい、原稿Ｐの裏面画像が表面画像に写り込んでしまうという問題があった。
【０００６】
このような問題を解決するために上記特許文献１の技術を採用しようとした場合、原稿搬送ローラ２００の円周方向に白色と黒色の２エリアに区分された円筒形状背景板を設けることになるが、原稿搬送ローラ２００はシェーディング補正用の白色基準体としての役割と原稿搬送用のローラとしての役割を兼任しているため、シェーディング補正時には白色部分をＣＩＳユニット１００側に向け、画像読取時には黒色部分をＣＩＳユニット１００側に向け且つ原稿Ｐを搬送させるために回転させるという複雑な制御を行う必要があると共に、原稿Ｐの搬送中は白色部分がＣＩＳユニット１００側に向かないように回転させなければならないため、原稿搬送ローラ２００の直径を大きくする（円周方向の長さを長くする）必要があり構造上実現困難である（装置規模が大きくなってしまう）。
【０００７】
本発明は、上述した事情に鑑みてなされたものであり、簡単な制御及び構造によって裏写り現象の発生を抑制することの可能な画像読取装置及び当該画像読取装置を備えた画像形成装置を提供することを目的とする。
【課題を解決するための手段】
【０００８】
上記目的を達成するために、本発明は、画像読取装置に係る第１の解決手段として、所定の画像読取位置に搬送される原稿に対して照明光を照射する光源及び前記照明光の反射光を受光する受光素子を有するイメージセンサユニットと、当該イメージセンサユニットに対して前記原稿の反対側に設けられたシェーディング補正用の白色基準体とを備える画像読取装置であって、前記原稿の搬送方向に対する前記白色基準体の位置若しくは角度を調整するためのアクチュエータと、シェーディング補正時には、前記照明光が前記白色基準体に反射されることで発生する反射光が前記受光素子に受光されるように、また、画像読取時には、当該反射光が前記受光素子に受光されないように前記白色基準体の位置若しくは角度を設定し、当該設定した位置若しくは角度に調整するように前記アクチュエータを制御する制御手段と、を具備することを特徴する。
【０００９】
また、画像読取装置に係る第２の解決手段として、上記第１の解決手段において、前記白色基準体が原稿搬送の役割を兼ねている円筒形状のローラである場合、前記制御手段は、前記ローラの位置を調整するように前記アクチュエータを制御することを特徴とする。
【００１０】
また、画像読取装置に係る第３の解決手段として、上記第１の解決手段において、前記白色基準体が板状の白色基準板である場合、前記制御手段は、前記白色基準板の角度を調整するように前記アクチュエータを制御することを特徴とする。
【００１１】
また、画像読取装置に係る第４の解決手段として、上記第１〜第３のいずれかの解決手段において、前記受光素子は、ＣＩＳ(Contact Image Sensor)素子であることを特徴とする。
【００１２】
また、画像読取装置に係る第５の解決手段として、上記第１〜第３のいずれかの解決手段において、前記受光素子は、ＣＣＤ(Charge Coupled Devices)素子であることを特徴とする。
【００１３】
さらに、本発明では、画像形成装置に係る解決手段として、上述した第１〜第５のいずれかの解決手段を有する画像読取装置を備え、当該画像読取装置によって読み取った原稿の画像データに基づいて用紙に画像を形成することを特徴とする。
【発明の効果】
【００１４】
本発明によれば、シェーディング補正時には、前記照明光が前記白色基準体に反射されることで発生する反射光が前記受光素子に受光されるように、また、画像読取時には、当該反射光が前記受光素子に受光されないように前記白色基準体の位置若しくは角度を制御するだけで良く、さらに、このような制御を実現するためには原稿の搬送方向に対する前記白色基準体の位置若しくは角度を調整するためのアクチュエータを備えていれば良い。すなわち、本発明によれば簡単な制御及び構造によって裏写り現象の発生を抑制することが可能である。
【発明を実施するための最良の形態】
【００１５】
以下、図面を参照して、本発明に係る画像読取装置及び画像形成装置の一実施形態について説明する。
〔画像読取装置〕
図１は、本実施形態に係る画像読取装置１０の構成概略図である。この図１に示すように、本実施形態に係る画像読取装置１０は、給紙トレイ１１、給紙ローラ１２、分離ローラ１３、レジストローラ１４、プラテンローラ１５、イメージセンサユニット１６、原稿搬送ローラ１７、排紙ローラ１８、排紙トレイ１９、アクチュエータ２０及び制御部２１から構成されている。
【００１６】
給紙トレイ１１は、読取対象となる原稿Ｐを載置するためのトレイである。給紙ローラ１２は、給紙トレイ１１に載置された原稿Ｐを最上部側から順に分離ローラ１３に給紙する。分離ローラ１３は、重送防止用のローラであり、給紙ローラ１２から給紙された原稿Ｐを１枚ずつレジストローラ１４に搬送する。レジストローラ１４は、分離ローラ１３から搬送される原稿Ｐの搬送姿勢を調整してプラテンローラ１５に搬送する。プラテンローラ１５は、レジストローラ１４から搬送される原稿Ｐを画像読取位置ＳＡに搬送する。
【００１７】
画像読取位置ＳＡには、イメージセンサユニット１６と原稿搬送ローラ１７とが対向するように設置されている。イメージセンサユニット１６は、画像読取位置ＳＡに搬送される原稿Ｐに対して照明光を照射するＬＥＤ光源１６ａ及び照明光の反射光を受光するＣＩＳ素子１６ｂを有しており、原稿Ｐの一方の面（読取対象の画像が印刷されている側の面：以下、この面を読取対象面と称す）の画像を読取り、当該読取対象面の画像を表す電圧信号をＣＩＳ素子１６ｂから制御部２１に出力する。
【００１８】
原稿搬送ローラ１７は、シェーディング補正用の白色基準体としての役割と原稿Ｐの搬送用ローラとしての役割を兼任する円筒形状のローラであり、イメージセンサユニット１６に対して原稿Ｐの反対側（読取対象面の裏面側）に設けられている。なお、この原稿搬送ローラ１７は、原稿Ｐの搬送方向に対して移動可能に設置されている。排紙ローラ１８は、原稿搬送ローラ１７から搬送される原稿Ｐを排紙トレイ１９に排紙する。排紙トレイ１９は、排紙トレイ１９から排紙される画像読取後の原稿Ｐを溜めておくためのトレイである。
【００１９】
アクチュエータ２０は、制御部２１の制御によって、原稿Ｐの搬送方向に対する原稿搬送ローラ１７の位置を調整するためのアクチュエータであり、例えばモータまたはソレノイド等で構成されている。制御部２１は、イメージセンサユニット１６（具体的にはＣＩＳ素子１６ｂ）から出力される電圧信号に基づいて原稿Ｐの読取対象面の画像データを生成する。また、詳細は後述するが、この制御部２１は、本実施形態における特徴的な動作として、シェーディング補正時には、ＬＥＤ光源１６ａの照明光が原稿搬送ローラ１７に反射されることで発生する反射光がＣＩＳ素子１６ｂに受光されるように、また、画像読取時には、当該反射光がＣＩＳ素子１６ｂに受光されないように原稿搬送ローラ１７の位置を設定し、当該設定した位置に調整するようにアクチュエータ２０を制御する。
【００２０】
次に、上記のように構成された本実施形態に係る画像読取装置１０の動作について、図２を参照して説明する。図２（ａ）は、シェーディング補正時における原稿搬送ローラ１７の位置を示すものであり、図２（ｂ）は、画像読取時における原稿搬送ローラ１７の位置を示すものである。
【００２１】
図２（ａ）に示すように、画像読取前に実施されるシェーディング補正時において、制御部２１は、ＬＥＤ光源１６ａの照明光が原稿搬送ローラ１７に反射されることで発生する反射光がＣＩＳ素子１６ｂに受光されるように原稿搬送ローラ１７の位置を設定し、当該設定した位置に調整するようにアクチュエータ２０を制御する。これにより、シェーディング補正時には、原稿搬送ローラ１７からの反射光をシェーディング補正処理に必要な白色基準としてＣＩＳ素子１６ｂに受光させることができ、問題なくシェーディング補正処理を実施することができる。
【００２２】
一方、図２（ｂ）に示すように、シェーディング補正後の画像読取時において、制御部２１は、ＬＥＤ光源１６ａの照明光が原稿搬送ローラ１７に反射されることで発生する反射光がＣＩＳ素子１６ｂに受光されないように原稿搬送ローラ１７の位置を設定し、当該設定した位置に調整するようにアクチュエータ２０を制御する。原稿搬送ローラ１７は円筒形状であるため、原稿Ｐの搬送方向に対する位置をずらすことにより照明光の反射角を大きくすることができ、原稿搬送ローラ１７による反射光（原稿Ｐの裏面側からの反射光）がＣＩＳ素子１６ｂに受光されないようにすることができる。
【００２３】
すなわち、画像読取時には、原稿Ｐの読取対象面によって照明光が反射されて発生する反射光のみがＣＩＳ素子１６ｂに受光され、原稿Ｐの裏面側からの反射光はＣＩＳ素子１６ｂに受光されないため、原稿Ｐが両面印刷原稿であった場合の裏写り現象の発生を抑制することができる。このように、本実施形態に係る画像読取装置１０によれば、シェーディング補正時及び画像読取時の原稿搬送ローラ１７の位置を制御し、この制御を実現するためのアクチュエータを備えていれば良く、簡単な制御及び構造によって裏写り現象の発生を抑制することが可能である。
【００２４】
なお、上記実施形態では、シェーディング補正用の白色基準体として原稿搬送の役割を兼ねている原稿搬送ローラ１７を用いる場合を例示したが、これに限らず、例えば板状の白色基準板を用いても良い。このような白色基準板を白色基準体として用いる場合、シェーディング補正時には、図３（ａ）に示すように、ＬＥＤ光源１６ａの照明光が白色基準板２２に反射されることで発生する反射光がＣＩＳ素子１６ｂに受光されるように白色基準板２２の角度を設定し（図の例では搬送方向に対して平行に設定）、また、画像読取時には、図３（ｂ）に示すように、白色基準板２２からの反射光がＣＩＳ素子１６ｂに受光されないように白色基準板２２の角度を設定する機能を制御部２１に持たせる。
【００２５】
このように、白色基準体としては、原稿搬送の役割を兼ねているローラ形状のもの（原稿搬送ローラ１７）、または板状のもの（白色基準板２２）を用いることができるが、ローラ形状のものは微小な平行移動で大きく照明光の反射角度が変化するため、給紙搬送路の変化もほとんどないという面で、板状の白色基準体と比べてより良いものである。
【００２６】
また、上記実施形態では、イメージセンサユニット１６における受光素子としてＣＩＳ素子１６ｂを用いる画像読取装置１０（つまりＣＩＳ方式を採用した画像読取装置）を例示して説明したが、この受光素子としてＣＣＤ素子を用いたＣＣＤ方式の画像読取装置であっても本発明を適用することができる。
【００２７】
〔画像形成装置〕
次に、上述した画像読取装置１０を備える画像形成装置５０について説明する。
図４は、本実施形態に係る画像形成装置５０の機能ブロック図である。本実施形態に係る画像形成装置５０は、例えばコピー機及びプリンタの機能を有する複合機であり、画像読取装置１０の他、ＣＰＵ(Central Processing Unit)３０、ＲＯＭ(Read Only Memory)３１、ＲＡＭ(Random Access Memory)３２、各種センサ群３３、用紙搬送部３４、画像形成部３５、操作表示部３６及び通信Ｉ／Ｆ部３７を備えている。なお、符号６０は、外部から画像形成装置５０へ印刷指示するためのＰＣ(Personal Computer)である。
【００２８】
ＣＰＵ３０は、ＲＯＭ３１に記憶されている制御プログラムを実行して、画像読取装置１０によって読取った原稿の画像データ、各種センサ群３３から出力される検出信号、操作表示部３６から出力される操作信号、通信Ｉ／Ｆ部３７を介してＰＣ６０から受信した印刷指示信号及び印刷用画像データに基づいて画像形成装置５０の全体動作を制御する。
【００２９】
ＲＯＭ３１は、ＣＰＵ３０で使用される制御プログラムやその他のデータを記憶する不揮発性メモリである。ＲＡＭ３２は、ＣＰＵ３０が制御プログラムを実行して各種演算処理を行う際に、データの一時保存先に用いられるワーキングメモリである。各種センサ群３３は、例えば用紙切れ検出センサや、用紙位置検出センサ、温度センサ等の画像形成動作に必要な各種センサであり、それぞれで検出した各種の情報を検出信号としてＣＰＵ３０に出力する。用紙搬送部３４は、図示しない用紙トレイに収納されている用紙を画像形成部３５に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００３０】
画像形成部３５は、ＣＰＵ３０の制御の下、画像読取装置１０によって生成された画像データやＰＣ６０から受信した印刷用画像データに基づいて、用紙搬送部３４から搬送される用紙にトナー像を転写し、当該トナー像の定着処理（画像形成）を行う。操作表示部３６は、例えばタッチパネルによって構成されており、ＣＰＵ３０の制御の下、各種操作キーや各種情報を報知する画面を表示すると共に、タッチパネル上に表示される各種操作キーの操作入力情報を操作信号としてＣＰＵ３０に出力する。通信Ｉ／Ｆ部３７は、画像形成装置５０（詳しくはＣＰＵ３０）と外部のＰＣ６０との間で通信を行うためのインタフェースであり、ＬＡＮ(Local Area Network)等のネットワークによってＰＣ６０と接続されている。
【００３１】
このような本実施形態に係る画像読取装置１０を備える画像形成装置５０によれば、両面印刷された原稿を読み取った場合であっても、印刷用紙に裏写りのない画像を形成することが可能となる。
なお、上記実施形態では、画像読取装置１０を備える画像形成装置５０として複合機を例示して説明したが、この他、コピー機（複写機）やファクシミリなどの画像形成装置にも本実施形態に係る画像読取装置１０を備えることができる。
【図面の簡単な説明】
【００３２】
【図１】本発明の一実施形態に係る画像読取装置１０の構成概略図である。
【図２】本発明の一実施形態に係る画像読取装置１０の動作説明図である。
【図３】本発明の一実施形態に係る画像読取装置１０の変形例である。
【図４】本発明の一実施形態に係る画像形成装置５０の機能ブロック図である。
【図５】従来のＣＩＳ方式を採用する画像読取装置の説明図である。
【符号の説明】
【００３３】
１０…画像読取装置、１１…給紙トレイ、１２…給紙ローラ、１３…分離ローラ、１４…レジストローラ、１５…プラテンローラ、１６…イメージセンサユニット、１６ａ…ＬＥＤ光源、１６ｂ…ＣＩＳ素子、１７…原稿搬送ローラ、１８…排紙ローラ、１９…排紙トレイ、２０…アクチュエータ、２１…制御部、２２…白色基準板、５０…画像形成装置、３０…ＣＰＵ、３１…ＲＯＭ、３２…ＲＡＭ、３３…各種センサ群、３４…用紙搬送部、３５…画像形成部、３６…操作表示部、３７…通信Ｉ／Ｆ部、６０…ＰＣ
【図１】
2009177310.tif 000003
【図２】
2009177310.tif 000004
【図３】
2009177310.tif 000005
【図４】
2009177310.tif 000006
【図５】
2009177310.tif 000007